(57)【特許請求の範囲】
【請求項１】
有底筒状に形成されていて側面に透明の検出用窓部を有する計測器本体部と、該計測器本体部の内部に前記検出用窓部の内面に臨ませて配置されていて発光部から前記計測器本体部の外部の被検水に向けて照射した検出光を受光部で受けて前記被検水の水質を検出する検出器と、前記計測器本体部の外部に摺動可能に取付けられていて前記検出用窓部の外面を払拭して該外面に付着した汚れを除去する洗浄装置と、を備え、
前記計測器本体部は、底面の近傍の側面に前記透明の検出用窓部を備え、
前記検出器は、前記検出用窓部の内面に臨ませて発光部と受光部を並べて配置した反射型検出器で構成され、
前記洗浄装置は、前記計測器本体部の外面に沿って摺動して前記透明の検出用窓部の外面を払拭する摺動ブロックと、該摺動ブロックを前記計測器本体部の外面および前記透明の検出用窓部に押し付けた状態で前記計測器本体部の外面に沿って摺動させる摺動ブロック駆動機構と、を備えた光学式水質計測器において、
前記摺動ブロックは、前記透明の検出用窓部と接触する内面に、前記透明の検出用窓部側に開口する薬液封入部と、該薬液封入部の周囲を囲んだ状態で前記透明の検出用窓部外面に接触して前記薬液封入部内に封入された薬液の漏れを防止するとともに前記透明の検出用窓部外面を払拭するシールワイパーと、を備えていることを特徴とする光学式水質計測器。
【請求項２】
前記計測器本体部は、円筒状に形成されていて、底面部の近傍の外周面の一部にフラット面を有し、該フラット面の一部に前記透明の検出用窓部が設けられていることを特徴とする請求項１に記載の光学式水質計測器。
【請求項３】
前記反射型検出器は、発光部と受光部が前記検出用窓部の内面に対して平行な同一平面状に配置されていることを特徴とする請求項１または請求項２に記載の光学式水質計測器。
【請求項４】
前記摺動ブロックは、前記透明の検出用窓部を覆い隠すことのできる大きさに形成されていることを特徴とする請求項１〜請求項３の何れかに記載の光学式水質計測器。
【請求項５】
前記摺動ブロックは、長方体形状に形成されていることを特徴とする請求項１〜請求項４の何れかに記載の光学式水質計測器。
【請求項６】
前記摺動ブロックは、円形状に形成されていることを特徴とする請求項１〜請求項４の何れかに記載の光学式水質計測器。
【請求項７】
前記摺動ブロックは、前記透明の検出用窓部に押し付ける摺動ガイドを備えていることを特徴とする請求項１〜請求項６の何れかに記載の光学式水質計測器。
【請求項８】
前記摺動ガイドは、リング状に形成されていて前記計測器本体部の外面側に嵌合することにより前記摺動ブロックを前記計測器本体部の側面に沿って摺動可能に支持しているガイド本体部と、該ガイド本体部の前記摺動ブロックと対向する位置の内面に設けられていて前記計測器本体部の外面に接触して前記摺動ブロックの内面を前記計測器本体部の外面に押し付ける摺動材と、を備えていることを特徴とする請求項７に記載の光学式水質計測器。
【請求項９】
前記摺動材は、前記ガイド本体部の内周面側に取付けられる弾性層と、該弾性層の内周側に設けられていて前記計測器本体部の外面に接触するポリ四フッ化エチレン樹脂からなる低摩擦層と、を備えていることを特徴とする請求項８に記載の光学式水質計測器。
【請求項１０】
前記摺動ブロック駆動機構は、前記摺動ブロックに先端部を取付けた駆動軸と、モータと、該モータの回転を前記駆動軸の直進運動に変換する回転／直線運動変換機構と、を備えていることを特徴とする請求項１〜請求項９の何れかに記載の光学式水質計測器。
【請求項１１】
前記摺動ブロック駆動機構は、前記計測器本体部の外部に配置されていることを特徴とする請求項１〜請求項１０の何れかに記載の光学式水質計測器。
【請求項１２】
前記摺動ブロック駆動機構は、前記摺動ブロックを一端側に取付け、他端部が前記計測器本体部に設けた孔部を介して前記計測器本体部内に導入されている駆動軸と、前記計測器本体部内に設けられたモータと、前記計測器本体部内に設けられていて前記モータの回転を前記駆動軸方向の運動に変換する回転／直線運動変換機構と、前記駆動軸を挿入することにより前記摺動ブロックを前記計測器本体部の側面に沿って摺動させる筒状の摺動ガイドと、を備えていることを特徴とする請求項１〜請求項９の何れかに記載の光学式水質計測器。
【請求項１３】
有底筒状に形成されていて側面に透明の検出用窓部を有する計測器本体部と、該計測器本体部の内部に前記検出用窓部の内面に臨ませて配置されていて発光部から前記計測器本体部の外部の被検水に向けて照射した検出光を受光部で受けて前記被検水の水質を検出する検出器と、前記計測器本体部の外部に摺動可能に取付けられていて前記検出用窓部の外面を払拭して該外面に付着した汚れを除去する洗浄装置と、を備え、
前記計測器本体部は、底面の近傍の側面に前記透明の検出用窓部を備え、
前記検出器は、前記検出用窓部の内面に臨ませて発光部と受光部を並べて配置した反射型検出器で構成され、
前記洗浄装置は、前記計測器本体部の外面に沿って摺動して前記透明の検出用窓部の外面を払拭する摺動ブロックと、該摺動ブロックを前記計測器本体部の外面および前記透明の検出用窓部に押し付けた状態で前記計測器本体部の外面に沿って摺動させる摺動ブロック駆動機構と、を備え、
前記摺動ブロックは、前記透明の検出用窓部に押し付ける摺動ガイドを備え、
前記摺動ガイドは、リング状に形成されていて前記計測器本体部の外面側に嵌合することにより前記摺動ブロックを前記計測器本体部の側面に沿って摺動可能に支持しているガイド本体部と、該ガイド本体部の前記摺動ブロックと対向する位置の内面に設けられていて前記計測器本体部の外面に接触して前記摺動ブロックの内面を前記計測器本体部の外面に押し付ける摺動材と、を備え、
前記摺動材は、前記ガイド本体部の内周面側に取付けられる弾性層と、該弾性層の内周側に設けられていて前記計測器本体部の外面に接触するポリ四フッ化エチレン樹脂からなる低摩擦層と、を備えていることを特徴とする光学式水質計測器。
【請求項１４】
有底筒状に形成されていて側面に透明の検出用窓部を有する計測器本体部と、該計測器本体部の内部に前記検出用窓部の内面に臨ませて配置されていて発光部から前記計測器本体部の外部の被検水に向けて照射した検出光を受光部で受けて前記被検水の水質を検出する検出器と、前記計測器本体部の外部に摺動可能に取付けられていて前記検出用窓部の外面を払拭して該外面に付着した汚れを除去する洗浄装置と、を備え、
前記計測器本体部は、底面の近傍の側面に前記透明の検出用窓部を備え、
前記検出器は、前記検出用窓部の内面に臨ませて発光部と受光部を並べて配置した反射型検出器で構成され、
前記洗浄装置は、前記計測器本体部の外面に沿って摺動して前記透明の検出用窓部の外面を払拭する摺動ブロックと、該摺動ブロックを前記計測器本体部の外面および前記透明の検出用窓部に押し付けた状態で前記計測器本体部の外面に沿って摺動させる摺動ブロック駆動機構と、を備え、
前記摺動ブロック駆動機構は、前記摺動ブロックを一端側に取付け、他端部が前記計測器本体部に設けた孔部を介して前記計測器本体部内に導入されている駆動軸と、前記計測器本体部内に設けられたモータと、前記計測器本体部内に設けられていて前記モータの回転を前記駆動軸方向の運動に変換する回転／直線運動変換機構と、前記駆動軸を挿入することにより前記摺動ブロックを前記計測器本体部の側面に沿って摺動させる筒状の摺動ガイドと、を備えていることを特徴とする光学式水質計測器。
【発明の詳細な説明】
【技術分野】
【０００１】
本発明は、検出部光学面を洗浄する洗浄装置を備えた光学式水質計測器に関するものである。
【背景技術】
【０００２】
被検水に浸漬して汚濁度や水質等を光学的に測定する光学式水質計測器として、透過型検出器を使用するものと反射型検出器を使用するものが知られている。図５は、透過型検出器を使用した光学式水質計測器の一例を示す。この光学式水質計測器１０１は、中央部に円柱状の被検水貯留部１０２を有する有底円形状の計測器本体部（セル）１０３の内周面の対向位置に一対の透明の検出用窓部１０４，１０５を設けて光源室１０６と受光室１０７を設け、これら光源室１０６と受光室１０７にそれぞれ、前記被検水貯留部１０２に貯留されている被検水１０８の水質を検出する検出器１０９の発光部１０９ａと受光部（センサ本体部）１０９ｂを取付け、前記発光部１０９ａから照射した検出光を前記前記被検水貯留部１０２に貯留されている被検水を透過させて前記受光部１０９ｂで受けることにより被検水１０８の汚濁度等を検出するようになっている。このような、計測器本体部（セル）１０３を被検水１０８中に浸漬して使用する光学式水質計測器１０１は、前記透明の検出用窓部１０４，１０５に藻等が付着して汚損され易い。そこで、この種の光学式水質計測器１０１にあっては、前記被検水貯留部１０２内に円柱状の摺動ブロック１１０を上下動可能に取り付け、該摺動ブロック１１０をブロック駆動機構１１１により上下に摺動させて、前記摺動ブロック１１０の外周面に設けたシールリング１１２，１１３で前記窓部１０４，１０５を払拭して、これら窓部１０４，１０５に付着している藻等の汚れを除去する。（例えば、特許文献１参照）。
【０００３】
また、反射型検出部を使用する光学式水質計測器２０１としては図６に示すものが知られている。この光学式水質計測器２０１は、反射型検出器２０２の発光部２０２ａと受光部（センサ本体部）２０２ｂを容器２０３内の被検水２０４の液面２０４ａ上から突出させて並べて配置し、前記発光部２０２ａから前記被検水２０４内に向けて検出光を照射し、前記被検水２０４に含まれている汚染物質等により反射して来た検出光を前記受光部２０２ｂで検出することにより前記被検水２０４の汚濁度等を測定するようになっている。（例えば、特許文献２参照）。
【特許文献１】特開平７−２７０２３１号公報
【特許文献２】特開平１１−１６０２３７号公報
【発明の開示】
【発明が解決しようとする課題】
【０００４】
ところで、前記反射型光学式水質計測器２０１は、反射型検出器２０２の発光部２０２ａと受光部２０２ｂを被検水２０４の液面２０４ａ上から出した状態で配置しているので、前記透過型検出器を被検水中に浸漬する透過型光学式水質計測器１０１のように、藻等の付着による窓部の汚損という問題はないが、反射型検出器２０２の発光部２０２ａと受光部２０２ｂを被検水２０４の液面上から出した状態で配置するという性質上、被検水の表面層部分の近傍の汚濁度等しか検出することができなかった。
【０００５】
本願発明の目的は、被検水中に浸漬して使用することにより被検水の表面層のみではなく、被検水の中層や下層の汚濁度等を検出することのできる反射型検出器を使用した光学式水質計測器を提供することにある。
【０００６】
また、本願発明の他の目的は、光学式水質計測器を被検水中に浸漬して使用することにより不可避的に発生する検出用窓部の汚れを効果的に除去することにある。
【課題を解決するための手段】
【０００７】
請求項１の発明は、有底筒状に形成されていて側面に透明の検出用窓部を有する計測器本体部と、該計測器本体部の内部に前記検出用窓部の内面に臨ませて配置されていて発光部から前記計測器本体部の外部の被検水に向けて照射した検出光を受光部で受けて前記被検水の水質を検出する検出器と、前記計測器本体部の外部に摺動可能に取付けられていて前記検出用窓部の外面を払拭して該外面に付着した汚れを除去する洗浄装置と、を備え、
前記計測器本体部は、底面の近傍の側面に前記透明の検出用窓部を備え、
前記検出器は、前記検出用窓部の内面に臨ませて発光部と受光部を並べて配置した反射型検出器で構成され、
前記洗浄装置は、前記計測器本体部の外面に沿って摺動して前記透明の検出用窓部の外面を払拭する摺動ブロックと、該摺動ブロックを前記計測器本体部の外面および前記透明の検出用窓部に押し付けた状態で前記計測器本体部の外面に沿って摺動させる摺動ブロック駆動機構と、を備えた光学式水質計測器において、
前記摺動ブロックを、前記透明の検出用窓部と接触する内面に、前記透明の検出用窓部側に開口する薬液封入部と、該薬液封入部の周囲を囲んだ状態で前記透明の検出用窓部外面に接触して前記薬液封入部内に封入された薬液の漏れを防止するとともに前記透明の検出用窓部外面を払拭するシールワイパーと、で構成した。
【０００８】
請求項２の発明は、請求項１の光学式水質計測器において、前記計測器本体部を、円筒状に形成すると共に、底面部の近傍の外周面の一部をフラット面に形成し、該フラット面の一部に前記透明の検出用窓部を設けた。
【０００９】
請求項３の発明は、請求項１または請求項２に記載の光学式水質計測器において、前記反射型検出器の発光部と受光部を前記検出用窓部の内面に対して平行な同一平面上に配置した。
【００１０】
請求項４の発明は、請求項１〜請求項３の何れかに記載の光学式水質計測器において、前記摺動ブロックを、前記透明の検出用窓部を覆い隠すことのできる大きさに形成した。
【００１１】
請求項５の発明は、請求項１〜請求項４の何れかに記載の光学式水質計測器において、前記摺動ブロックを、長方体形状に形成した。
【００１２】
請求項６の発明は、請求項１〜請求項４の何れかに記載の光学式水質計測器において、前記摺動ブロックを、円形状に形成した。
【００１３】
請求項７の発明は、請求項１〜請求項６の何れかに記載の光学式水質計測器において、前記摺動ブロックに、前記透明の検出用窓部に押し付ける摺動ガイドを設けた。
【００１４】
請求項８の発明は、請求項７に記載の光学式水質計測器において、前記摺動ガイドは、リング状に形成されていて前記計測器本体部の外面側に嵌合することにより前記摺動ブロックを前記計測器本体部の側面に沿って摺動可能に支持しているガイド本体部と、該ガイド本体部の前記摺動ブロックと対向する位置の内面に設けられていて前記計測器本体部の外面に接触して前記摺動ブロックの内面を前記計測器本体部の外面に押し付ける摺動材と、を備えている。
【００１５】
請求項９の発明は、請求項１〜８に記載の光学式水質計測器において、前記摺動ガイドは、前記ガイド本体部の内周面側に取付けられる弾性層と、該弾性層の内周側に設けられていて前記計測器本体部の外面に接触するポリ四フッ化エチレン樹脂からなる低摩擦層と、を備えている。
【００１６】
請求項１０の発明は、請求項１〜請求項９に記載の光学式水質計測器において、
前記摺動ブロック駆動機構は、前記摺動ブロックに先端部を取付けた駆動軸と、モータと、該モータの回転を前記駆動軸の直進運動に変換する回転／直線運動変換機構と、を備えている。
【００１７】
請求項１１の発明は、請求項１〜請求項１０の何れかに記載の光学式水質計測器において、前記摺動ブロック駆動機構を、前記計測器本体部の外部に配置した。
【００１８】
請求項１２の発明は、請求項１〜請求項８の何れかに記載の光学式水質計測器において、前記摺動ブロック駆動機構は、前記摺動ブロックを一端側に取付け、他端部が前記計測器本体部に設けた孔部を介して前記計測器本体部内に導入されている駆動軸と、前記計測器本体部内に設けられたモータと、前記計測器本体部内に設けられていて前記モータの回転を前記駆動軸方向の運動に変換する回転／直線運動変換機構と、前記駆動軸を挿入することにより前記摺動ブロックを前記計測器本体部の側面に沿って摺動させる筒状の摺動ガイドと、を備えている
【００１９】
請求項１３の発明は、有底筒状に形成されていて側面に透明の検出用窓部を有する計測器本体部と、該計測器本体部の内部に前記検出用窓部の内面に臨ませて配置されていて発光部から前記計測器本体部の外部の被検水に向けて照射した検出光を受光部で受けて前記被検水の水質を検出する検出器と、前記計測器本体部の外部に摺動可能に取付けられていて前記検出用窓部の外面を払拭して該外面に付着した汚れを除去する洗浄装置と、を備え、
前記計測器本体部は、底面の近傍の側面に前記透明の検出用窓部を備え、
前記検出器は、前記検出用窓部の内面に臨ませて発光部と受光部を並べて配置した反射型検出器で構成され、
前記洗浄装置は、前記計測器本体部の外面に沿って摺動して前記透明の検出用窓部の外面を払拭する摺動ブロックと、該摺動ブロックを前記計測器本体部の外面および前記透明の検出用窓部に押し付けた状態で前記計測器本体部の外面に沿って摺動させる摺動ブロック駆動機構と、を備え、
前記摺動ブロックは、前記透明の検出用窓部に押し付ける摺動ガイドを備え、
前記摺動ガイドは、リング状に形成されていて前記計測器本体部の外面側に嵌合することにより前記摺動ブロックを前記計測器本体部の側面に沿って摺動可能に支持しているガイド本体部と、該ガイド本体部の前記摺動ブロックと対向する位置の内面に設けられていて前記計測器本体部の外面に接触して前記摺動ブロックの内面を前記計測器本体部の外面に押し付ける摺動材と、を備え、
前記摺動材は、前記ガイド本体部の内周面側に取付けられる弾性層と、該弾性層の内周側に設けられていて前記計測器本体部の外面に接触するポリ四フッ化エチレン樹脂からなる低摩擦層と、を備えている。
また、請求項１４の発明は、有底筒状に形成されていて側面に透明の検出用窓部を有する計測器本体部と、該計測器本体部の内部に前記検出用窓部の内面に臨ませて配置されていて発光部から前記計測器本体部の外部の被検水に向けて照射した検出光を受光部で受けて前記被検水の水質を検出する検出器と、前記計測器本体部の外部に摺動可能に取付けられていて前記検出用窓部の外面を払拭して該外面に付着した汚れを除去する洗浄装置と、を備え、
前記計測器本体部は、底面の近傍の側面に前記透明の検出用窓部を備え、
前記検出器は、前記検出用窓部の内面に臨ませて発光部と受光部を並べて配置した反射型検出器で構成され、
前記洗浄装置は、前記計測器本体部の外面に沿って摺動して前記透明の検出用窓部の外面を払拭する摺動ブロックと、該摺動ブロックを前記計測器本体部の外面および前記透明の検出用窓部に押し付けた状態で前記計測器本体部の外面に沿って摺動させる摺動ブロック駆動機構と、を備え、
前記摺動ブロック駆動機構は、前記摺動ブロックを一端側に取付け、他端部が前記計測器本体部に設けた孔部を介して前記計測器本体部内に導入されている駆動軸と、前記計測器本体部内に設けられたモータと、前記計測器本体部内に設けられていて前記モータの回転を前記駆動軸方向の運動に変換する回転／直線運動変換機構と、前記駆動軸を挿入することにより前記摺動ブロックを前記計測器本体部の側面に沿って摺動させる筒状の摺動ガイドと、を備えている。
【発明の効果】
【００２０】
（１）請求項１の光学式水質計測器は、被検水内に沈めることにより、被検水の表面層のみならず、中層や下層等の各層の汚濁度等を反射型検出器によって検出することができる。また、前記検出用窓部が藻等で汚損された場合でも、摺動ブロック駆動機構で摺動ブロックを前記計測器本体部の外面に沿って摺動させることにより、前記摺動ブロックで前記透明の検出用窓部の外面を払拭して、該外面に付着した藻等を除去する。特に、摺動ブロックを摺動させて前記薬液封入部の開口部を検出用窓部に位置させると、該検出用窓部は前記薬液封入部に封入されている塩素剤等の薬液に曝されて滅菌、洗浄される。前記薬液封入部はリング状のシールワイパーによって周囲を囲まれた状態になっているので薬液が漏れる虞はない。そして、摺動ブロックを摺動させると前記シールワイパーによって前記検出用窓部の外面が払拭されて外面の汚れが除去される。
（２）請求項２の光学式水質計測器は、有底円筒状の外周面の一部にフラット面に形成し、該フラット面に検出用窓部を形成したので、曲面に較べて摺動ブロックを前記フラット面および検出用窓部に密着させ易いものになる。
（３）請求項３の光学式水質計測器は、反射型検出器の発光部と受光部を検出用窓部の内面に対して平行な同一平面上に配置した検出用窓部に対する発光部と受光部の角度を一定に保つことができる。
（４）請求項４の光学式水質計測器は、計測時以外は、前記摺動ブロックで検出用窓部を覆っておくことにより、検出用窓部への藻等の付着を抑制することができる。
（５）請求項５の光学式水質計測器は、摺動ブロックを長方体形状にしたので、摺動ブロックを円形に形成する場合に較べて摺動ブロックを容易かつ安価に製造することができる。
（６）請求項６の光学式水質計測器は、摺動ブロックを円形状に形成したので、角部を有する長方体形状の摺動ブロックに較べて、被検水内に含まれる塵埃等が摺動ブロックに引っ掛かるのを防止することができる。
（７）請求項７の光学式水質計測器は、摺動ガイドによって、摺動ブロックに設けたシールワイパーを検出用窓部に押し付けて摺動ブロックと検出用窓部の間を確実にシールして薬液封入部の薬液の漏れを防止する。
（８）請求項８の光学式水質計測器は、リング状のガイド本体部に設けた摺動ブロックと対向する面に設けた摺動材によって、前記摺動ブロックを計測器本体部の側面に隙間無く押し付けることができる。
（９）請求項９及び１３の光学式水質計測器は、前記摺動材を、前記リング状のガイド本体部の内周面側に取付けられる弾性層と、該弾性層の内周側に設けられていて前記計測器本体部の外面に接触するポリ四フッ化エチレン樹脂からなる低摩擦層と、で構成したので、前記弾性層の弾性で摺動ブロックを計測器本体部の外面に軽く圧着させ、且つ前記低摩擦層で前記リング状のガイド本体部を前記計測器本体部の側面に沿って円滑に摺動させることができる。
（１０）請求項１０の光学式水質計測器は、摺動ブロック駆動機構のモータの回転を回転／直線運動変換機構によって駆動軸方向の運動に変換して、該駆動軸の先端に取付けた摺動ブロックを計測器本体部の側面に沿って円滑に摺動させることができる。
（１１）請求項１１の光学式水質計測器は、摺動ブロック駆動機構を前記計測器本体部の外部に配置したので、摺動ブロック駆動機構のメンテナンスを容易に行うことが出来る。
（１２）請求項１２及び１４の光学式水質計測器は、摺動ブロック駆動機構を前記計測器本体部の内部に配置したので、摺動ブロック駆動機構を前記計測器本体部の外部に配置した場合に較べて、水中の浮遊物等が摺動ブロック駆動機構に付着するのを防止することができる。
【発明を実施するための最良の形態】
【００２１】
図１は第１の実施の形態の光学式水質計測器を示し、（Ａ）は正面図、（Ｂ）は断面図、（Ｃ）は底面図、（Ｄ）は摺動材の拡大断面図である。
【００２２】
光学式水質計測器１は、有底筒状に形成されていて側面に透明の検出用窓部２を有する計測器本体部３と、該計測器本体部３の内部に前記検出用窓部２の内面に臨ませて配置されていて前記計測器本体部３の外部の被検水５に向けて光ビームを照射する発光部４ａおよび被検水５からの反射光を受光する受光部４ｂを有する検出器４と、前記計測器本体部３の外側に摺動可能に取付けられていて前記検出用窓部２の外面を払拭して該外面に付着した汚れを除去する洗浄装置６と、を備えている。
【００２３】
前記計測器本体部３は、金属や合成樹脂等で円筒状に形成されていて、底面部３ａの近傍の外周面の一部がフラット面３ｂに形成されていて、該フラット面３ｂの一部に前記透明の検出用窓部２が設けられている。
【００２４】
前記検出用窓部２は、透明のガラス又は合成樹脂によって円板状に形成されていて、前記計測器本体部３のフラット面３ｂに設けた窓孔３ｃに取付けられている。前記計測器本体部３のフラット面３ｂの表面および前記検出用窓部２の表面は、所謂面一になっていて、次に説明する洗浄装置６の摺動ブロック７を前記計測器本体部３のフラット面３ｂの表面および前記検出用窓部２の表面に沿って円滑に摺動させることができるようになっている。
【００２５】
前記検出器４の発光部４ａと受光部４ｂは、前記検出用窓部２の内面に対して平行な同一平面状に配置されている。前記発光部４ａは光源回路に接続され、前記受光部４ｂは信号増幅回路に接続されている。そして、前記発光部４ａから発射した光ビームを、前記検出用窓部２を通して計測器本体部３の外部の被検水５に向けて照射し、該被検水５からの反射光を前記受光部４ｂで受光し、増幅回路で増幅した後、信号処理部で汚濁度や水質を演算する。
【００２６】
前記洗浄装置６は、前記計測器本体部３のフラット面３ｂに沿って摺動して前記透明の検出用窓部３のフラット面３ｂを払拭する直方体形状の摺動ブロック７と、該摺動ブロック７の内面を前記計測器本体部３のフラット面３ｂおよび検出用窓部２の外面に押し付けた状態で前記摺動ブロック７を摺動させる摺動ブロック駆動機構８と、を備えている。
【００２７】
前記摺動ブロック７は、前記検出用窓部２と対向する面に開口する薬液封入部９と、該薬液封入部９の周囲を囲んだ状態で前記計測器本体部３のフラット面３ｂおよび検出用窓部２の外面に接触して前記薬液封入部９内に封入された薬液１０の漏れを防止すると共に、これら計測器本体部３のフラット面３ｂおよび検出用窓部２の外面を払拭するリング状のシールワイパー１１と、を備えている。
【００２８】
前記摺動ブロック７は、前記検出用窓部２を覆い隠すことのできる大きさの長方体形状に形成されている。前記薬液封入部９の開口部は、前記検出用窓部２の外面の少なくとも前記発光部４ａと受光部４ｂに対応する部分を薬液１０に曝すことのできる大きさに形成されている。
【００２９】
前記摺動ブロック７は、その内面を前記計測器本体部３のフラット面３ｂに押し付けた状態で該フラット面３ｂに沿って摺動させるための摺動ガイド１２を備えている。
【００３０】
前記摺動ガイド１２は、前記摺動ブロック７を支持しているとともに前記計測器本体部３の外側に同心的に位置するリング状のガイド本体部１３と、該ガイド本体部１３の前記摺動ブロック７を取付けた位置と対向する位置の内面に設けられていて前記計測器本体部３の外面に接触していてその反力で前記ガイド本体部１３を介して前記摺動ブロック７の内面を前記計測器本体部３の外面および検出用窓部２に押し付ける摺動材（スペーサ）１４と、を備えている。
【００３１】
前記摺動材１４は、前記ガイド本体部１３の内面側に取付けられている弾性層１５と、該弾性層１５の内周側に設けられていて前記計測器本体部３の外周面に接触する低摩擦層１６と、を備えている。前記弾性層１５は、ゴムや合成樹脂等の弾性材で形成されている。
また、前記低摩擦層１６は、ポリ四フッ化エチレン樹脂からなる低摩擦材で形成されている。そして、前記弾性層１５の弾性を利用して適度の圧力で前記摺動ブロック７の内面を前記計測器本体部３のフラット面３ｂに押し付けると共に、前記低摩擦層１６によって前記摺動ガイド１２を前記計測器本体部３の外面に沿って円滑に摺動させる。
【００３２】
前記摺動ブロック駆動機構８は、前記摺動ブロック７に先端部を取付けた駆動軸２１と、図示を省略したモータおよび該モータの回転を前記駆動軸方向の運動に変換する回転／直線運動変換機構と、コントローラ（制御機構）と、を備えている。そして、前記モータを一方向に回転（正転）させると、該モータの回転は前記回転／直線運動変換機構によって前記駆動軸方向の運動に変換されて前記摺動ブロック７を前記計測器本体部３のフラット面３ｂの下端側に移動させる。また、前記モータを他方向に回転（逆転）させると、該モータの回転は前記回転／直線運動変換機構によって前記駆動軸方向の運動に変換されて前記摺動ブロック７を前記計測器本体部３のフラット面３ｂの上端側に移動させる。前記摺動ブロック駆動機構８は、前記計測器本体部３の外部に配置されている。
【００３３】
次に、第１の実施の形態の光学式水質計測器の作用について説明する。前記摺動ブロック７は、前記検出用窓部２を洗浄するとき以外は前記計測器本体部３のフラット面３ｂの上端部の待機位置（前記検出用窓部２にオーバーラップしない位置）で待機している。そして、洗浄開始信号が発せられると、前記摺動ブロック駆動機構８によって前記摺動ブロック７が下降し、前記検出用窓部２を通って前記計測器本体部３のフラット面３ｂの下端部まで移動する。前記摺動ブロック７が前記検出用窓部２を通過する際に、前記リング状のシールワイパー１１によって前記検出用窓部２が払拭されると共に、前記検出用窓部２が薬液１０に曝されて、該窓部２に付着している藻等にダメージを与えて洗浄する。前記摺動ブロック７が前記計測器本体部３のフラット面３ｂの下端部まで移動した後は、前記摺動ブロック７は上昇し、前記検出用窓部２を通って再び該検出用窓部２を洗浄して前記計測器本体部３のフラット面３ｂの上端部の待機位置まで移動して、次の洗浄開始信号が発せられるまで待機する。
【００３４】
なお、上述の動作説明においては、前記摺動ブロック７を１回往復させて、前記検出用窓部２を払拭する場合を説明したが、前記摺動ブロック７を数回往復させて、前記検出用窓部２をより完全に払拭するようにしてもよい。この場合、洗浄開始信号が出力された洗浄動作中の場合には、計測信号は直前値を保持し、洗浄終了後に計測状態が再開される。
【００３５】
また、上記光学式水質計測器１による常時計測を必要としない場合には、図２（Ａ），（Ｂ）に示すように、前記摺動ガイド１２を前記検出用窓部２の位置で待機させてもよい。前記摺動ガイド１２を前記検出用窓部２の位置で待機させることにより、前記検出用窓部２は、前記摺動ガイド１２で覆い隠された状態になり、前記検出用窓部２の表面にゴミや藻等が付着するのを防止すると共に、前記検出用窓部２の一部（少なくとも前記発光部４ａと受光部４ｂに対応する位置）を前記薬液１０に長時間曝して、付着している藻等を除去する。
【００３６】
そして、計測時には、前記摺動ブロック駆動機構８によって前記摺動ブロック７を上昇させて、前記検出用窓部２を露出させる。この動作の際に、計測動作前の計測信号は、０値を示すなど通常の計測信号と明らかに区別できる伝送出力を設定し、計測動作後は、計測停止信号が出力されるまで被検水の計測値を継続して測定し伝送出力として外部出力する。計測停止信号を受けた場合には、前記摺動ガイド１２が前記検出用窓部２の位置で停止し、計測終了となる。計測終了時の計測信号は、０値を示すなど通常の計測信号と明らかに区別できる伝送出力を設定する。
【００３７】
図３は第２の実施の形態の光学式水質計測器３１を示し、（Ａ）は正面図、（Ｂ）は断面図、（Ｃ）は底面図である。第２の実施の形態の光学式水質計測器３１と前記第１の実施の形態の光学式水質計測器１の主たる相違点は、摺動ブロック駆動機構８の構成が若干異なる点および摺動ブロック駆動機構８の主要部が前記計測器本体部３内に収容されている点にある。
【００３８】
前記摺動ブロック駆動機構８は、略正方形の摺動ブロック７Ａを下端側に取付け、上端側が前記計測器本体部３のフラット面３ｂの上部に位置する庇状面３ｄに設けた孔部３ｅを介して前記計測器本体部３内に導入されている駆動軸３２と、前記計測器本体部３内に設けられたモータ３３と、前記計測器本体部３内に設けられていて前記モータ３３によって前記駆動軸３２の回転を軸方向運動に変換させる回転／直線運動変換機構３４と、前記駆動軸３２を挿入することにより前記摺動ブロック７Ａを前記計測器本体部３のフラット面３ｂに沿って摺動させる筒状の摺動ガイド３５と、を備えている。前記摺動ブロック７Ａは、薬液封入部９とリング状のシールワイパー１１を備えている。
【００３９】
前記回転／直線運動変換機構３４は、前記モータ３３の軸３３ａにカップリング３６を介して接続されたリードスクリュー３７と、該リードスクリュー３７の回転により軸方向に移動するスライドブロック３８と、を備えている。前記リードスクリュー３６は、筒状のカラー３９内に回転可能に収容されている。前記筒状のカラー３９は、外周面に軸方向に伸びるスリット４０を有している。前記スライドブロック３８は、前記筒状のカラー３９に前記スリット４０に沿って移動可能に組み付けられている。前記スライドブロック３８のカラー側の端部には、前記リードスクリュー３７の螺旋溝４１に係合するリード突起４２が設けられていて、前記モータ３３でリードスクリュー３７を回転させると、該モータ３３の回転は前記スライドブロック３８の直線運動に変換される。
【００４０】
前述したように、前記スライドブロック３８には前記駆動軸３２の上端部が取付けられていると共に、前記駆動軸３２の下端部は、前記計測器本体部３のフラット面３ｂの上部の庇状面３ｄに設けた孔部３ｅを介して前記計測器本体部３外に導き出され、前記摺動ブロック７Ａに接続されている。なお、前記孔部３ｅの内周と駆動軸３２の外周の間はシールリング４３によってシールされていて、前記計測器本体部３の内部に被検水５が浸入しないようになっている。
【００４１】
次に、第２の実施の形態の光学式水質計測器３１の作用について説明する。第２の実施の形態の光学式水質計測器３１の作用も前記第１の実施の形態の光学式水質計測器１の作用と略同じであるが、一通り説明する。前記摺動ブロック７Ａは、前記検出用窓部２を洗浄するとき以外は前記計測器本体部３のフラット面３ｂの上方の待機位置で待機している。そして、洗浄開始信号が発せられると、前記摺動ブロック駆動機構８のモータ３３が一方向に回転し、該モータ３３の回転は前記回転／直線運動変換機構３４によって前記スライドブロック３８の下降運動に変換されて、該スライドブロック３８に上端部が取付けられている駆動軸３２および該駆動軸３２に取付けられている摺動ブロック７Ａが下降し、前記検出用窓部２を通って前記計測器本体部３のフラット面３ｂの下端部まで移動する。前記摺動ブロック７Ａが前記検出用窓部２を通過する際に、前記シールリング１１によって前記検出用窓部２が払拭されると共に、前記検出用窓部２が薬液１０に曝されて洗浄される。前記摺動ブロック７Ａが前記計測器本体部３のフラット面３ｂの下端部まで移動した後は、前記摺動ブロック７Ａは上昇し、再び前記検出用窓部２を払拭、洗浄して前記計測器本体部３のフラット面３ｂの上端部の待機位置まで移動し、次の洗浄開始信号が発せられるまで待機する。その他の構成は、第１の実施の形態の場合と同じであるので重複する説明は省略する。
【００４２】
なお、上述の動作説明においては、前記摺動ブロック７Ａを１回往復させて、前記検出用窓部２を払拭する場合を説明したが、第１の実施の形態の場合と同様に、前記摺動ブロック７Ａを数回往復させて、前記検出用窓部２をより完全に払拭するようにしてもよい。
【００４３】
なお、図４は前記摺動ブロック７の変形例を示す。この変形例においては、摺動ブロック７Ａを円形状に形成した。前記摺動ブロック７を円形状に形成したので、角部を有する略正方形の摺動ブロック（図３）に較べて、被検水内に含まれる塵埃等が摺動ブロックに引っ掛かるのを防止することができる。また、被検水に流れがあるような場合でもその流れを円滑にすることができる。その他の構成は基本例の場合と同じであるので重複する説明は省略する。
【図面の簡単な説明】
【００４４】
【図１】図１は第１の実施の形態の光学式水質計測器を示し、（Ａ）は正面図、（Ｂ）は断面図、（Ｃ）は底面図、（Ｄ）は摺動材の拡大断面図。
【図２】図２は第１の実施の形態の光学式水質計測器の使用方法の一例を示し、（Ａ）は正面図、（Ｂ）は断面図。
【図３】図３は第２の実施の形態の光学式水質計測器を示し、（Ａ）は正面図、（Ｂ）は断面図、（Ｃ）は底面図。
【図４】図４は第２の実施の形態の光学式水質計測器の変形例を示す正面図。
【図５】従来例の説明図。
【図６】他の従来例の説明図。
【符号の説明】
【００４５】
１…光学式水質計測器
２…検出用窓部
３…計測器本体部
３ａ…底面部
３ｂ…フラット面
４…検出器
４ａ…発光部
４ｂ…受光部
５…被検水
６…洗浄装置
７、７Ａ…摺動ブロック
８…摺動ブロック駆動機構
９…薬液封入部
１０…薬液
１１…シールワイパー
１２…摺動ガイド
１３…ガイド本体部
１４…摺動材
１５…弾性層
１６…低摩擦層
３１…光学式水質計測器
３２…駆動軸
３３…モータ
３４…回転／直線運動変換機構
３５…摺動ガイド
３６…カップリング
３７…リードスクリュー
３８…スライドブロック
３９…カラー
４０…スリット
４１…螺旋溝
４２…リード突起
【図１】
0004759448.tif 000002
【図２】
0004759448.tif 000003
【図３】
0004759448.tif 000004
【図４】
0004759448.tif 000005
【図５】
0004759448.tif 000006
【図６】
0004759448.tif 000007